(57)【要約】【課題】  遊技者個人の占有スペースに限りがある遊技場において、回胴式遊技機のメダルや弾球式遊技機のパチンコ玉等のトークンを収納する収納箱や遊技者の身の回り品を適宜載置でき、遊技者に負担をかけることなく遊技をエンジョイできるようにするテーブル構造を提供する。【解決手段】  遊技機の下方前面部に設けられた棚部３０に取り付けられるテーブル構造１０であって、棚部３０の遊技者側端部４９に固定されるフレーム部１１と、フレーム部１１に、スライドして引出及び収納可能に装着され、非使用時における収納位置と使用時における引出位置との間で配置姿勢を変更可能であると共に着脱可能に形成されたテーブル部１２とを備えたことを特徴とするテーブル構造１０である。【選択図】  図１
2014217569.tif 000002
【特許請求の範囲】
【請求項１】
遊技機の下方前面部に設けられた棚部に取り付けられるテーブル構造であって、上記棚部の遊技者側端部に固定されるフレーム部と、上記フレーム部に、スライドして引出及び収納可能に装着され、非使用時における上記棚部下方における収納位置と使用時における棚部前方における引出位置との間で配置姿勢を変更可能に形成されたテーブル部とを備えたことを特徴とするテーブル構造。
【請求項２】
上記フレーム部は、上記棚部の遊技者側端部に取り付けられる取付部と、上記取付部に空隙部を以て連設され、非使用時には上記空隙部内において上記テーブル部を上記棚部下方に垂下状態で収納すると共に使用時には上記テーブル部を引き出して略水平状態に支持しうるフレーム本体部とを有し、
上記テーブル部は平面方形状に形成され、上記フレーム本体部には、上記テーブル部の引き出し時及び収納時にガイドするガイド部が設けられると共に、上記取付部には、引き出し時に上記テーブル部の後端部を保持して固定する固定部が設けられていることを特徴とする請求項１記載のテーブル構造。
【請求項３】
上記取付部は板状に形成され、上記フレーム本体部は上記取付部の前面部側に設けられ、上記取付部の両端部に対向して配置された一対の側板部を有し、上記ガイド部には上記テーブル部の使用時に、引き出された上記テーブル部を支持する支持部が形成されていることを特徴とする請求項２記載のテーブル構造。
【請求項４】
上記テーブル部はトークンの収納箱に対応した大きさに形成されると共にフレーム部に対して着脱可能に形成され、上記テーブル部には、収納時に上記ガイド部に係止する前端側係止部が設けられると共に、使用時には上記固定部に係止する後端側係止部とが設けられていることを特徴とする請求項３記載のテーブル構造。
【請求項５】
上記ガイド部は上方へ湾曲する湾曲部を有すると共に上記支持部は上記湾曲部に連設され、上記テーブル部の後端部裏面側には、上記湾曲部に当接してスライドする湾曲係合部が設けられていることを特徴とする請求項３記載のテーブル構造。
【請求項６】
上記ガイド部は、上記一対の側板部の内側面部に夫々設けられていることを特徴とする請求項５記載のテーブル構造。
【請求項７】
上記テーブル部は平面長方形状に形成され、幅方向両側には上記ガイド部にスライド可能に係合する係合段部が長さ方向に沿って形成されていることを特徴とする請求項２記載のテーブル構造。
【請求項８】
上記テーブル部の前端部裏面側には、上記テーブル部を把持して引き出すための把持部が幅方向に沿って形成されていることを特徴とする請求項２記載のテーブル構造。
【発明の詳細な説明】
【技術分野】
【０００１】
本発明は、回胴式遊技機等の遊技機が設けられた遊技場の島設備に設置可能なテーブル構造に関するものである。
【背景技術】
【０００２】
一般的に、弾球式遊技機が設置された遊技場にあっては、島として配置された多数の弾球式遊技機の下方前面側に棚部が設けられており、棚部上に、弾球式遊技機のパチンコ玉が収納された収納箱や空の収納箱、その他の身の回りの品を載置した状態で遊技者は遊技を行うことができる。
【０００３】
しかしながら、回胴式遊技機の場合には、遊技機の下端部にメダルの払い出し部が大きく設けられていることから、遊技機の下端部に棚部を設けた場合であっても、棚部上にメダルの払い出し部が前出してしまうことから、メダルの収納箱や身の回り品を置くスペースがないという不具合があった。
【０００４】
従って、回胴式遊技機の場合においては、遊技者はメダルの収納箱を、遊技者の足元や膝上等に置くか、遊技者が足に挟んだ状態で保持するか、又は、上記遊技機の上方にトレー置き場を設け、遊技機の上方までメダルの収納箱を持ち上げて置くようにしていた。
【０００５】
しかしながら、上記メダル収納箱を膝上に置いた状態、又は、足に挟んで保持した状態で長時間遊技機の操作を行うことは、遊技者に肉体的負担をかけることになり、また、メダル収納箱の置き場が遊技機本体上にある場合には、背の低い遊技者は立ち上がるか、又は、中腰の姿勢で収納箱を載置する必要があり、多数のメダルが収納され所定の重さ収納箱を持ち上げた場合には、手や足腰に負担がかかるという問題があった。
【０００６】
そこで、最近では、遊技機の前面側に設けられた棚部を設置するカウンターの裏面側に引き出し可能なテーブルを設け、引き出したテーブルの上に収納箱を載置することが可能な、引き出しタイプの載置台が提案されている（例えば、特許文献１及び２参照）。
【０００７】
しかしながら、このような従来の載置台は遊技機のカウンターの裏面側に設置されるため、特に、遊技機本体が遊技者側にせり出している回胴式遊技機においては、遊技場の店員等が別途アナウンスをしない限り、載置台の存在を認識し難いという問題があった。
【０００８】
また、回胴式遊技機の場合、上記カウンターは遊技者の膝付近の高さに突設されている場合が多く、テーブル上に収納箱を載置するためには足を開く必要があり、特に、女性の遊技者においては利用し難いという問題が生じていた。
【０００９】
さらに、上記カウンターは、裏面側の左右方向両端に保持部を設けてテーブルを支持するように構成されており、多数のメダルが収納され所定の重量になっている収納箱所定を確実に支持することが難しい場合があるという問題があった。
【特許文献１】実用新案登録第３１７１５３４号公報
【特許文献２】実開昭５４−０１９１０１号公報
【発明の開示】
【発明が解決しようとする課題】
【００１０】
本発明は、上記従来技術の問題点に鑑みなされたものであり、その目的とするところは、遊技者個人の占有スペースに限りがある遊技場において、回胴式遊技機のメダルや弾球式遊技機のパチンコ玉等のトークンを収納する収納箱や遊技者の身の回り品を適宜載置でき、遊技者に負担をかけることなく遊技をエンジョイできるようにするテーブル構造を提供することにある。
【課題を解決するための手段】
【００１１】
このような課題解決のため請求項１に記載の発明にかかるテーブル構造は、遊技機の下方前面部に設けられた棚部に取り付けられるテーブル構造であって、上記棚部の遊技者側端部に固定されるフレーム部と、上記フレーム部に、スライドして引出及び収納可能に装着され、非使用時における上記棚部下方における収納位置と使用時における棚部前方における引出位置との間で配置姿勢を変更可能に形成されたテーブル部とを備えたことを特徴とする。
【００１２】
従って、請求項１記載の発明にあっては、テーブル部を、非使用時には上記棚部下方に収納できると共に、使用時には棚部前方に配置することができる。
【００１３】
請求項２に記載の発明にかかるテーブル構造は、上記フレーム部は、上記棚部の前端部に取り付けられる取付部と、上記取付部に空隙部を以て連設され、非使用時には上記空隙部内において上記テーブル部を上記棚部下方に垂下状態で収納すると共に、使用時には上記テーブル部を引き出して略水平状態に支持しうるフレーム本体部とを有し、上記テーブル部は平面方形状に形成され、上記フレーム本体部には、上記テーブル部の引き出し時及び収納時にガイドするガイド部が設けられると共に、上記取付部には、引き出し時に上記テーブル部の後端部を保持して固定する固定部が設けられていることを特徴とする。
【００１４】
従って、本発明にかかるテーブル構造は、上記棚部の遊技者側端部に取り付けられる取付部及び上記フレーム部本体を有するフレーム部と、上記ガイド部及び上記固定部を有するテーブル部とを備えた構成により、使用時には上記フレーム部を介して上記テーブル部を上記棚部と共に略水平状態に支持した状態を保持すると共に、非使用時には上記棚部下方に垂下させた状態にすることができる。
【００１５】
請求項３に記載の発明にかかるテーブル構造は、上記取付部は板状に形成され、上記フレーム本体部は上記取付部の前面部側に設けられ、上記取付部の両端部に対向して配置された一対の側板部を有し、上記ガイド部には上記テーブル部の使用時に、引き出された上記テーブル部を支持する支持部が形成されていることを特徴とする。
【００１６】
従って、本発明にかかるテーブル構造は、板状の取付部の前面部側に設けられ、上記取付部の両端部に対向して配置された一対の側板部を有するフレーム本体部と、上記テーブル部の使用時に、引き出された上記テーブル部を支持する支持部が形成されていることから、上記支持部により、上記テーブル部の水平姿勢を保持することができる。
【００１７】
請求項４に記載の発明にかかるテーブル構造は、上記テーブル部は、トークンの収納箱に対応した大きさに形成されると共にフレーム部に対して着脱可能に形成され、上記テーブル部には、収納時に上記ガイド部に係止する前端側係止部が設けられると共に、使用時には上記固定部に係止する後端側係止部とが設けられていることを特徴とする。
【００１８】
従って、本発明にかかるテーブル構造は、収納時には上記支持部に係止する前端側係止部が設けられると共に、使用時には上記固定部に係止する後端側係止部とが設けられたテーブル部を備えた構成により、収納時及び使用時に上記テーブル部の各配置姿勢を保持することができる。また、テーブル部はフレーム部に対して着脱可能に形成されている。
【００１９】
請求項５に記載の発明にかかるテーブル構造は、上記ガイド部は上方へ湾曲する湾曲部を有すると共に上記支持部は上記湾曲部に連設され、上記テーブル部の後端部裏面側には、上記湾曲部に当接してスライドする湾曲係合部が設けられていることを特徴とする。
【００２０】
従って、本発明にかかるテーブル構造は、収納状態から使用状態にする場合、及び使用状態から収納状態にする場合には、上記テーブル部は、上記湾曲係合部が上記ガイド部の上記湾曲部に当接した状態でスライドさせることができる。
【００２１】
請求項６に記載の発明にかかるテーブル構造は、上記ガイド部は、上記一対の側板部の内側面部に夫々設けられていることを特徴とする。
【００２２】
従って、本発明にかかるテーブル構造は、上記一対の側板部の内側面部に夫々設けられたガイド部を備えた構成により、収納状態と使用状態との間で上記テーブル部を容易にスライドさせて配置姿勢を変更することができる。
【００２３】
請求項７に記載の発明にかかるテーブル構造は、上記テーブル部は平面長方形状に形成され、幅方向両側には上記ガイド部にスライド可能に係合する係合段部が長さ方向に沿って形成されていることを特徴とする。
【００２４】
従って、本発明にかかるテーブル構造は、幅方向両側には上記ガイド部にスライド可能に係合する係合段部が長さ方向に沿って形成されていることから、上記テーブル部を、上記ガイド部を介してスライドさせることにより、使用状態と収納状態とを変更することができる。
【００２５】
請求項８に記載の発明にかかるテーブル構造は、上記テーブル部の前端部裏面側には、上記テーブル部を把持して引き出すための把持部が幅方向に沿って形成されていることを特徴とする。
【００２６】
従って、本発明にかかるテーブル構造は、上記テーブル部に把持部を備えた構成により、上記把持部を掴んでテーブル部の配置姿勢を容易に変更することができる。
【発明の効果】
【００２７】
請求項１〜８に記載の発明にあっては、上記フレーム部を介して上記テーブル部を遊技機に取付けた状態を保持することができ、且つ上記テーブル部の非使用時における収納位置と使用時における引出位置との間で配置姿勢を変更することができることから、使用時には、上記テーブル部を上記フレーム部から引き出して棚部前方に配置してテーブルとして利用することができる。また、不要時には、テーブル部をフレーム部内に収納し棚部下方に配置させて、遊技の邪魔にならないようにすることができる。
【００２８】
その結果、特に、回胴式遊技機の場合、島に設けられた棚部には、回胴式遊技機のメダル払い出し部が干渉することによってメダルの収納箱の置き場所がない場合が多いが、本発明に係るテーブル構造を利用することにより、容易に棚部に連続するテーブル部による載置スペースを形成することができる。
【００２９】
従って、回胴式遊技機の遊技者は、従来のように、メダルの収納箱や身の回り品を、遊技者の足元や膝上等に置いたり、遊技者が足に挟んだ状態で保持したり、又は、上記遊技機の上方にトレー置き場を設けて遊技機の上方までメダルの収納箱を持ち上げて置く必要がなく、遊技者に負担をかけることなく遊技をエンジョイすることができる。
【００３０】
また、同様に請求項１〜８記載の発明に係るテーブル構造を弾球式遊技機が設置された島に設けられている棚部に適用することもでき、回胴式遊技機の場合と同様に、パチンコ玉収納容器や遊技者の身の回り品を手軽に載置できる載置スペースを形成することができる。
【００３１】
請求項２に記載の発明にあっては、使用時には上記フレーム部を介して上記テーブル部を上記棚部と共に略水平状態に支持した状態を保持すると共に、非使用時には上記棚部下方に垂下させた状態にすることができることから、従来とは異なり、遊技者は上記テーブル部の存在を容易に認識することができ、遊技者の占有スペースが狭い遊技場であっても、上記収納箱等を載置する場所を確保することができる。
【００３２】
請求項４に記載の発明にあっては、テーブル部はフレーム部に対して着脱可能に形成されていることから、フレーム部とテーブル部とを別個の部品として形成し、取り付け場所である遊技場において組み立てることができるため、製品としての製作が容易であると共に、製品としての搬送も容易であり、製造、取付作業の容易なテーブル構造を提供することができる。
【００３３】
また、上記テーブル部は、上記回胴式遊技機のメダルや弾球式遊技機のパチンコ玉のトークンの収納箱に対応した大きさに形成されており、従来のように遊技機のカウンターの裏面側全体に亙る大きさのテーブルとしては構成されていないことから、全体として小型であって、取扱が容易であると共に、上面部に上記収納箱を載置した場合であっても、トークンが収納された収納箱の荷重を確実に支持することができる。
【００３４】
請求項５に記載の発明にあっては、非使用時における上記テーブル部の収納位置から使用時におけるテーブル部の引出位置にする場合、及び、反対に、収納位置から引出位置にする場合には、上記テーブル部は、上記湾曲係合部が上記ガイド部の上記湾曲部に当接した状態でスライドさせることができるのでスムーズに配置姿勢の変更をすることができる。
【００３５】
請求項６に記載の発明にあっては、上記一対の側板部の内側面部に夫々設けられたガイド部を備えており、上記テーブル部は左右方向端部において、夫々が上記ガイド部により支持されることから、使用時には、上記テーブル部は安定して棚部前方に配置され、所定の重量物を載置した場合であっても確実に支持することができる。
【００３６】
請求項７に記載の発明にあっては、幅方向両側には上記ガイド部にスライド可能に係合する係合段部が長さ方向に沿って形成された平面長方形状のテーブル部を備えた構成により、よりスムーズに配置姿勢を変更することができる。
【００３７】
請求項８に記載の発明にあっては、上記テーブル部に把持部を備えた構成により、上記把持部を掴んでテーブル部の配置姿勢を変更することができるので、遊技者は上記テーブル部の配置姿勢を容易に変更することができる。
【図面の簡単な説明】
【００３８】
【図１】本発明に係るテーブル構造の一実施の形態を示し、本実施の形態に係る遊技用テーブル構造を回胴式遊技機が設置された島の棚部に適用した状態を示す斜視図である。
【図２】本発明に係るテーブル構造の一実施の形態を示し、本実施の形態に係る遊技用テーブルの非使用時における全体構造を示す斜視図である。
【図３】本発明に係るテーブル構造の一実施の形態を示し、本実施の形態に係る遊技用テーブルの使用時における全体構造を示す斜視図である。
【図４】本発明に係るテーブル構造に使用されるフレーム部の一実施の形態を示す斜視図である。
【図５】本発明に係るテーブル構造に使用されるフレーム部の一実施の形態を示す斜視図である。
【図６】本発明に係るテーブル構造に使用される遊技用テーブルの一形態を表面側から示す斜視図である。
【図７】本発明に係るテーブル構造に使用される遊技用テーブルの一実施の形態を裏面側から示す斜視図である。
【図８】本発明に係るテーブル構造に使用される遊技用テーブルの一実施の形態を側面側から示す側面図である。
【図９】本発明に係るテーブル構造に使用される遊技用テーブルの一実施の形態を示し、本実施の形態に係る遊技用テーブルを弾球式遊技機が設置された島の棚部に適用した状態を示す斜視図である。
【発明を実施するための最良の形態】
【００３９】
以下、本発明に係るテーブル構造を回胴式遊技機が設置された島の棚部に適用した場合を例に、添付図面を参照して詳細に説明する。なお、本発明のテーブル構造は、以下の実施の形態に限定されるものではなく、本発明の要旨を逸脱しない範囲内において種々変更を加え得ることができる。
【００４０】
図１に示すように、本実施の形態にかかるテーブル構造１０は、島５０として設けられた回胴式遊技機２８、２８・・・の下方前面部に設けられた棚部３０の遊技者側端部である前端部４９に固定されるフレーム部１１と、フレーム部１１にスライドして引出及び収納可能に装着され、図２に示す非使用時における棚部３０の下方における収納位置と、図３に示す使用時における棚部３０の前方における引出位置との間で配置姿勢を変更可能な、着脱可能に形成されたテーブル部１２とを備えている。
【００４１】
本実施の形態にあっては、フレーム部１１及びテーブル部１２は合成樹脂による一体成型により形成されている。
【００４２】
図４及び図５に示すように、フレーム部１１は全体略直方体状の枠体として構成され、取付部１３と、取付部１３に空隙部１４を以て連設され、図２に示す非使用時には、空隙部１４内においてテーブル部１２を棚部３０の下方における垂下状態で収納すると共に、図３に示す使用時には、テーブル部１２を引き出して、棚部３０の前方に略水平状態に支持しうるフレーム本体部１５とを有している。
【００４３】
図３及び図４に示すように、取付部１３は肉厚の略細長長方形板状に形成され、長さ方向両端部であって幅方向上端部には、回胴式遊技機２８の下方に設けられた棚部３０の前端部４９に固定するためのビス用孔部３１、３１が貫通して開設されている。
【００４４】
本実施の形態にあっては、図１に示すように、島５０に設けられた棚部３０は薄型板状に形成され、前端部４９は側面部から裏面部にかけて直角状に形成されている。
【００４５】
図４に示すように、取付部１３の背面側には、棚部３０の前端部４９に当接しうる側方当接部３２と、側方当接部３２の下端部から背面方向に突設された板状の細長長方形板状の突設部３３が設けられており、突設部３３の上面には、棚部３０の前端部４９の裏面部に当接しうる裏面当接部３４が形成されている。
【００４６】
本実施の形態にあっては、本実施の形態に係るフレーム部１１の棚部３０への取付時に棚部３０の前端部４９に適合させうるように、突設部３３の裏面当接部３４と側方当接部３２との間は略直角に形成されている。
【００４７】
図４及び図５に示すように、突設部３３の下面部には、引き出し時に上記テーブル部１２の後端部１７を保持して固定する固定部３５が形成されている。
【００４８】
フレーム本体部１５は取付部１３の前面側に設けられ、取付部１３の長さ方向両端部に直交して設けられ、互いに平行に対向して配置された一対の側板部１９，１９と、側板部１９、１９の前端下部に設けられ、側板部１９、１９の間を架橋する架橋部３７とを有している。
【００４９】
一対の側板部１９、１９の内側面部には、夫々、上記テーブル部１２の引き出し時及び収納時にテーブル部１２をガイドするガイド部１６、１６が設けられている。図５に示すように、ガイド部１６、１６は、側板部１９、１９の前端上部において、架橋部３７の両端部に一体に形成されて設けられている。
【００５０】
ガイド部１６は所定の厚さ寸法を有する略縦長長円状の突起部として形成され、背面側の平端部３６と、平端部３６の上方に連設された湾曲部２３と、湾曲部２３の上方さらに連設され、上端部に位置する支持部２０とを備えている。
【００５１】
図６に示すように、テーブル部１２は、トークンの収納箱、本実施の形態にあっては、回胴式遊技機のメダル収納箱を載置しうる大きさであって、平面長方形板状に形成されている。
【００５２】
テーブル部１２の幅寸法Ｌは、フレーム部１１の空隙部１４内にスライド可能に収納されるように側板部１９、１９の間隔寸法Ｌ１よりも僅かに小さく形成されている。
【００５３】
テーブル部１２は、テーブル本体部３８と、テーブル本体部３８の前端部に形成され、収納時にはガイド部１６に係止する前端側係止部２１、２１と、使用時には固定部１８に係止する後端側係止部２２とを備えている。
【００５４】
テーブル本体部３８は所定の厚さ寸法を有して形成され、上面部３９は段差の小さな凹部として形成され、周縁部４１は僅かに上面部本体４０よりも上方に突出して形成され、テーブル本体部３８上に載置された載置物が落下しにくいように形成されている。
【００５５】
上面部本体４０は、例えば、メダル収納箱等を載置した場合に、滑りにくいように、軟質の合成樹脂製であって表面には非常に微細な凹凸が形成された表皮材が張設されている。
【００５６】
図７に示すように、テーブル部１２の前端には、裏面側に把持部２６が設けられた前端平面部４７が設けられ、裏面側には、テーブル部１２を使用する場合に、手で把持して引き出すために使用する把持部２６が形成されている。
【００５７】
把持部２６は、テーブル本体部３８の裏面側へ、幅方向全域に亘って突出する前端縁部４２と、前端縁部４２の後方側に隣接して幅方向全域に亘って形成された凹部４３とにより形成され、前端側係止部２１、２１は、前端縁部４２の両端部に形成されている。
【００５８】
前端平面部４７の厚さ寸法Ｌ３は、図５に示す、フレーム部１１の側板部１９、１９に設けられたガイド部１６、１６の支持部２０と、取付部１３との間の間隔寸法Ｌ２よりも僅かに小さく形成されている。
【００５９】
図７に示すように、テーブル本体部３８の裏面側には、凹部４３から後端部側にかけて肉厚のバルジ補強部４４が形成されている。バルジ補強部４４は、後端部に至るに従って暑さ寸法が小さくなるように緩やかなカーブを描き、中間部が肉薄であって、長さ方向両端部が肉厚になるように形成されており、後端部には６本のリブ４５が形成されている。
【００６０】
従って、バルジ補強部４４及び６本のリブ４５は、テーブル本体部３８の剛性を裏面側から補強するものであり、テーブル部１２がフレーム部１１に支持されて使用状態に配置された場合に、フレーム部１１への支持部を形成する後端部及びフレーム部１１から前方へ突出して配置される前端部において長さ方向両端部の肉厚部５３、５３が、テーブル本体部３８の裏面側において載置物の荷重を支持すると共に、６本のリブ４５が後端側係止部２２のフレーム部１１の固定部３５への係合荷重の支持を補強して受け止めるように構成されている。
【００６１】
前端平面部４７の厚さ寸法Ｌ３は、肉厚部５３の最大幅部４８の厚さ寸法と同一であって、フレーム部１１の側板部１９、１９に設けられたガイド部１６、１６の支持部２０と、取付部１３との間の間隔寸法Ｌ２よりも僅かに小さく形成されている。
【００６２】
図６及び図７に示すように、テーブル部１２の後端部には、厚さ方向裏面側に湾曲した湾曲部４６が形成され、湾曲部４６の裏面側には６本のリブ４５が設けられている。湾曲部４６の後端部には、後端側係止部２２が後方に突出して形成されている。後端側係止部２２は、平面細長長方形板状であって、フレーム部１１の固定部３５に適合するように、同一の幅寸法及び長さ寸法に形成されている。
【００６３】
また、テーブル本体部３８の裏面側においては、肉厚部４４の幅方向両側には、テーブル部１１の引き出し時又は収納時に、ガイド部１６にスライド可能に係合する係合段部２５、２５が長さ方向に沿って形成されており、湾曲部４６の裏面側においては、湾曲部４６と同一の曲率により湾曲して形成された湾曲係合部５２が形成され、後端側係止部２２への連続するように設けられている。
【００６４】
テーブル部１２の前端部裏面側には、テーブル部１２を把持して引き出すための把持部２６が幅方向に沿って形成されている。
【００６５】
以下、本実施の形態にかかるテーブル構造１０の作用について説明する。
【００６６】
本実施の形態に係る遊技起用テーブル構造を回胴式遊技機２８に関し適用する場合には、図１に示すように、島５０として設けられた多数の並列する回胴式遊技機２８、２８・・・の下方に配設されたカウンターとしての棚部３０の前端部４９に対してフレーム部１１を、２本のビス５１を取付部１３のビス用孔部３１、３１を介して挿入固定する。
【００６７】
本実施の形態にあっては、棚部３０の、当該回胴式遊技機２８の向かって左側に隣接する他の回胴式遊技機２８との間隙においてフレーム部１１が固定されている。
【００６８】
回胴式遊技機の場合には、上記のように、遊技機の下端部に大型のメダルの払い出し部５４が設けられて前方へ張り出していることから、回胴式遊技機２８とは重複しない部位に設けた方がスペース確保の点から有利である。
【００６９】
次に、固定されたフレーム部１１に着脱可能に形成されたテーブル部１２を固定する。
【００７０】
テーブル部１２をフレーム部１１に固定する場合には、テーブル部の上面部３９を上方にして、後端側係止部２２側からフレーム部１１の空隙部１４内へ挿入する。この場合、テーブル部１２をガイド部１６と取付部１３との間に配置した状態でテーブル部１２を空隙部１４内へ挿入し、前端縁部４２に形成された前端側係止部２１、２１がガイド部１６、１６の支持部２０、２０に係止するまで挿入する。
【００７１】
テーブル部１２の幅寸法Ｌは、フレーム部１１の空隙部１４内にスライド可能に収納されるように側板部１９、１９の間隔寸法Ｌ１よりも僅かに小さく形成されていることから、テーブル部１２はフレーム部１１の空隙部１４内に挿入が可能であり、側板部１９、１９に設けられたガイド部１６、１６の湾曲部２３、２３に係合段部２５、２５がスライド可能に係合した状態で挿入される。
【００７２】
その後、前端係止部２１、２１がガイド部１６、１６の支持部２０、２０に係止した場合には、図２に示すように、テーブル部１２はフレーム部１１に直立した状態で垂下し、棚部３０の下方に縦方向に配置された状態で装着され収納位置に至る。
【００７３】
テーブル部１２がフレーム部１１に収納状態で装着された場合には、テーブル部１２は、前端平面部４７がフレーム部１１の上面２７と同一面上に配置されると共に、フレーム部１１に挿入された状態で、棚部３０下方において、後端側係止部２２が遊技者から離間した状態で斜めに傾斜した姿勢で配置される。
【００７４】
また、収納状態の場合においては、図２に示すように、前端縁部４２の裏面側に形成された把持部２６は、フレーム本体部１５の架橋部３７の上方に前方に向かって開口した状態にある。  
【００７５】
次に、遊技者が本実施の形態にかかるテーブル部１２を使用する場合には、把持部２６に指を入れて把持部２６を用いてテーブル部１２を前方へ引き出す操作を行う。
【００７６】
テーブル部１２を引き出す場合には、把持部２６を指で把持して、まず、テーブル部１２を後端部に至るまで上方へ引き出す。
【００７７】
この場合、テーブル部１２は、フレーム部１１へ収納する場合と同様に、テーブル本体部１５の幅方向両側部に設けられた係合段部２５、２５がガイド部１６、１６の湾曲部２３、２３にスライド可能に係合した状態で引き出される。
【００７８】
テーブル部１２が後端部に至った場合には係合段部２５の後端部に形成された湾曲係合部５２、５２がガイド部１６、１６の湾曲部２３、２３に係合してガイド部１６、１６に乗り上げ、湾曲係合部２３、２３が支持部２０、２０により支持されることとなり、この時点で、テーブル部１２の前端縁部４２を手で下方へ倒す操作を行うことにより、後端側係止部２２が取付部１３の固定部３５の裏面側に当接することとなり、図３に示すように、テーブル部１２は支持部２０、２０を支点とすると共に後端側係止部２２と固定部３５との係合によりフレーム部１１に固定される。
【００７９】
この場合、図３に示すように、テーブル部１２はフレーム部１１に固定された場合には、棚部３０と略同一面を形成して棚部３０の前方に配置される。この状態において、図１に示すように、本実施の形態にあっては、当該回胴式遊技機２８に向かって左側に遊技起用テーブル部構造１０が形成され、テーブル部１２が配置されることから、遊技者は、遊技の際に、例えば、遊技用のメダルの収納箱をテーブル部１２上に載せておくことができるため、メダル収納箱の置き場所を気にすることなく、遊技をエンジョイすることができる。
【００８０】
また、この場合、上記のように、合成樹脂製のテーブル部１２は支持部２０、２０を支点とすると共に後端側係止部２２と固定部３５との係合によりフレーム部１１に固定され、テーブル本体部３８の裏面側にはバルジ補強部４４が設けられ、特に、フレーム部１１への支持部を形成する後端部１７及びフレーム部１１から前方へ突出して配置される前端縁部４２及び後端部１７において肉厚部５３、５３がテーブル本体部３８の裏面側において載置物の荷重を補強支持するように構成されていることから、テーブル部１２の剛性は高く、所定の重量物をテーブル部１２上に載置することが可能となる。
【００８１】
従って、本実施の形態に係るテーブル構造にあっては、メダル等のトークンを多数収納し、所定の重量を有する収納箱であっても、テーブル部１２上に載置しておくことができる。
【００８２】
回胴式遊技機２８には、下端部に大型のメダルの払い出し部５４が大きく設けられ、前方へ張り出して設けられていることから、カウンターを形成する棚部３０を設けた場合であっても、上記収納箱を置くスペースがないという不具合があったが、本実施の形態に係るテーブル構造を適用した場合には、容易かつ迅速に、トークン収納箱を含む身の回り品の置き場所を形成することができる。
【００８３】
また、本実施の形態にあっては、上記テーブル部１２の操作のみで容易に上記収納箱等の載置場所を確保できることから、例えば、遊技者が女性や年配者であっても使いやすく遊技に没頭することができる。
【００８４】
また、図８に示すように、不要な場合には、テーブル部１２の後端側係止部２２とフレーム部１１の固定部３５との係合を解除して、テーブル部１２をフレーム部１１内に収納し、容易にフレーム部１１の下方に遊技者から離間するように斜めに垂下した状態で配置することができるため、遊技者における遊技の邪魔になることがない。
【００８５】
なお、遊技機の下方前面部に設けられた棚部への遊技用テーブル１０の固定方法、遊技用テーブル１０の大きさ寸法、フレーム部１１の大きさ寸法や形状、テーブル部１２大きさ寸法やの形状等については、遊技場の要望や遊技機の機種等に合わせて適宜変更することが可能であり、その場合であっても本実施の形態と同様の作用及び効果を得ることが可能である。
【００８６】
また、上記実施の形態にあっては、本実施の形態に係るテーブル構造を回胴式遊技機２８に適用した場合を例に説明したが、上記実施の形態に限定されず、図９に示すように、弾球式遊技機（パチンコ機）２９の島に同様に適用することもできる。
【産業上の利用可能性】
【００８７】
本発明のテーブル構造は、テーブル部をフレーム部から出してテーブルとして利用でき、不要時には邪魔にならないようにテーブル部をフレーム部に収納することができるので、弾球式遊技機、回胴式遊技機、アレンジボール遊技機、雀球遊技機等の遊技機に設置し、トークンを入れた収納箱や空の収納箱の他、飲み物、タバコ、ライター、財布、化粧ポーチ等の遊技者の私物等を載置可能な遊技機用テーブルとして極めて有用であることから、産業上の利用可能性を有している。
【符号の説明】
【００８８】
１０  テーブル構造
１１  フレーム部
１２  テーブル部
１３  取付部
１４  空隙部
１５  フレーム本体部
１６  ガイド部
１７  後端部
１８  固定部
１９  側板部
２０  支持部
２１  前端側係止部
２２  後端側係止部
２３  湾曲部
２５  係合段部
２６  把持部
２７  上面
２８  回胴式遊技機
２９  弾球式遊技機
３０  棚部
３１  ビス用孔部
３２  側方当接部
３３  突設部
３４  裏面当接部
３５  固定部
３６  平端部
３７  架橋部
３８  テーブル本体部
３９  上面部
４０  上面部本体
４１  周縁部
４２  前端縁部
４３  凹部
４４  バルジ補強部
４５  リブ
４６  湾曲部
４７  前端平面部
４８  最大幅部
４９  前端部（遊技者側端部）
５０  島
５１  ビス
５２  湾曲係合部
５３  肉厚部
５４  メダル払い出し部
Ｌ    テーブル部の幅寸法
Ｌ１  側板部の間隔寸法
Ｌ２  取付部の間の間隔寸法
Ｌ３  前端平面部の厚さ寸法
【図１】
2014217569.tif 000003
【図２】
2014217569.tif 000004
【図３】
2014217569.tif 000005
【図４】
2014217569.tif 000006
【図５】
2014217569.tif 000007
【図６】
2014217569.tif 000008
【図７】
2014217569.tif 000009
【図８】
2014217569.tif 000010
【図９】
2014217569.tif 000011